(57)【要約】【課題】  比較的緩やかな受信レベル変化と急峻な受信レベル変化との両方において使用者が受信状況を正確に把握できるようにするとともに、見やすい映像、良好な使い勝手とする。【解決手段】  開示される携帯型放送受信機は、デジタルチューナ２と、制御部５とを具備している。デジタルチューナ２は、アンテナ１を介してデジタル放送信号を受信するとともに、アナログのＡＧＣ電圧値ＶＡＧＣを出力する。制御部５は、アナログのＡＧＣ電圧値ＶＡＧＣからＡ／Ｄコンバータ４で変換されたデジタルのＡＧＣ電圧値ＤＡＧＣを平均化部１１で平均化する。そして、制御部５は、平均化部１１からの平均値ＡＶＧに基づいて受信レベル表示データＲＬを生成し、表示部７に供給する。これにより、表示部７に受信レベル表示が行われる。【選択図】  図１
2008109208.tif 000002
【特許請求の範囲】
【請求項１】
放送信号を受信するとともに、ＡＧＣ電圧値を出力するチューナと、
前記ＡＧＣ電圧値を平均化した平均値に基づいて表示部に受信レベル表示を行う制御部と
を具備することを特徴とする携帯型放送受信機。
【請求項２】
デジタル放送信号を受信するとともに、ＡＧＣ電圧値を出力するチューナと、
前記ＡＧＣ電圧値を平均化した平均値に基づいて表示部に受信レベル表示を行うとともに、受信した前記デジタル放送信号を復調する際のエラー率に基づいて復調された映像の表示を行う制御部と
を具備することを特徴とする携帯型放送受信機。
【請求項３】
移動速度に応じて前記平均化に用いる前記ＡＧＣ電圧値のサンプル数、サンプリングピッチ、サンプリングタイムのいずれかを変更する
ことを特徴とする請求項１又は２に記載の携帯型放送受信機。
【請求項４】
前記制御部は、前記受信レベル表示として、前記平均値が第１の基準値より小さい場合にはその旨を表す第１の表示、前記平均値が前記第１の基準値以上であって、第２の基準値より小さい場合にはその旨を表す第２の表示、前記平均値が前記第２の基準値以上である場合にはその旨を表す第３の表示をそれぞれ行う
ことを特徴とする請求項１乃至３のいずれかに記載の携帯型放送受信機。
【請求項５】
前記制御部は、前記エラー率が基準エラー率より小さい場合には復調された映像を前記表示部にそのまま表示し、前記エラー率が基準エラー率より大きい場合には直前に供給された映像を前記表示部に表示する
ことを特徴とする請求項２乃至４のいずれかに記載の携帯型放送受信機。
【請求項６】
前記制御部は、前記平均値が第１の基準値より小さく、かつ、前記エラー率が基準エラー率より大きい場合には、前記受信レベル表示として復調された映像を表示できない旨の表示を行うとともに、ミュートを行う
ことを特徴とする請求項２乃至５のいずれかに記載の携帯型放送受信機。
【請求項７】
受信した放送信号に関するＡＧＣ電圧値を平均化して平均値を求め、前記平均値に基づいて、受信レベル表示を行う
ことを特徴とする受信レベル表示方法。
【請求項８】
受信したデジタル放送信号に関するＡＧＣ電圧値を平均化して平均値を求め、前記平均値に基づいて受信レベル表示を行うとともに、受信した前記デジタル放送信号を復調する際のエラー率に基づいて復調された映像の表示を行う
ことを特徴とする受信レベル表示方法。
【請求項９】
移動速度に応じて前記平均化に用いる前記ＡＧＣ電圧値のサンプル数、サンプリングピッチ、サンプリングタイムのいずれかを変更する
ことを特徴とする請求項７又は８に記載の受信レベル表示方法。
【請求項１０】
前記受信レベル表示として、前記平均値が第１の基準値より小さい場合にはその旨を表す第１の表示、前記平均値が前記第１の基準値以上であって、第２の基準値より小さい場合にはその旨を表す第２の表示、前記平均値が前記第２の基準値以上である場合にはその旨を表す第３の表示をそれぞれ行う
ことを特徴とする請求項７乃至９のいずれかに記載の受信レベル表示方法。
【請求項１１】
前記エラー率が基準エラー率より小さい場合には復調された映像をそのまま表示し、前記エラー率が基準エラー率より大きい場合には直前に供給された映像を表示する
ことを特徴とする請求項８乃至１０のいずれかに記載の受信レベル表示方法。
【請求項１２】
前記平均値が第１の基準値より小さく、かつ、前記エラー率が基準エラー率より大きい場合には、前記受信レベル表示として復調された映像を表示できない旨の表示を行うとともに、ミュートを行う
ことを特徴とする請求項８乃至１１のいずれかに記載の受信レベル表示方法。
【発明の詳細な説明】
【技術分野】
【０００１】
本発明は、例えば、アナログ放送や地上波デジタル放送等のデジタル放送を受信可能な携帯電話機や携帯用の放送受信機その他の移動体機器（以下、「携帯型放送受信機」と総称する。）及び、この携帯型放送受信機等において放送信号の受信レベルを表示する受信レベル表示方法に関する。
【背景技術】
【０００２】
従来、据置型で衛星放送を受信可能な衛星受信機には、チューナからのＡＧＣ（Automatic Gain Control）電圧値の変化様態を判別して受信レベル変化様態として表示部に表示するものがある（例えば、特許文献１参照。）。以下、この技術を第１の従来例と呼ぶ。
【０００３】
また、同じく据置型でデジタル放送を受信可能な従来のデジタル放送受信機には、ビット誤り率（ＢＥＲ：Bit Error Rate）が測定可能な場合にはＢＥＲに基づいて受信レベルを表示し、それ以外の場合には、放送信号のＣ／Ｎ（Carrier to Noise）値に基づいて受信レベルを表示するものもある（例えば、特許文献２参照。）。以下、この技術を第２の従来例と呼ぶ。
【０００４】
【特許文献１】実開平５−４８４８２号公報（請求項１，［００１８］〜［００２４］、図１〜図３）
【特許文献２】特開２００５−６０６５号公報（請求項１，［００２８］〜［００４０］、図１〜図３）
【発明の開示】
【発明が解決しようとする課題】
【０００５】
地上波デジタル放送、ＢＳデジタル放送、ＣＳデジタル放送等のデジタル放送を受信可能なデジタル放送受信機に上記した第１の従来例によるＡＧＣ電圧値に基づく受信レベル表示を適用した場合、ＡＧＣ電圧値とＢＥＲ又はＣ／Ｎ値とは相関性が少ない。このため、デジタル放送受信機を構成する表示部に表示される受信レベルと画像や音声の品質とは相関性が少なく、画像が乱れたり、音声が途切れたりして正常に受信できない場合でも、受信レベルは良好であるとして表示される場合があった（上記特許文献２の段落［０００３］参照）。
【０００６】
また、携帯型放送受信機の場合、受信レベルの変化には、比較的緩やかなものと、急峻なものとの両方があり得る。ここで、比較的緩やかな受信レベル変化とは、放送局から携帯型放送受信機までの距離や携帯型放送受信機が存在する地域周辺の天候などに起因したものをいう。一方、急峻な受信レベル変化とは、携帯型放送受信機が搭載された車両や携帯型放送受信機を所持した使用者が移動することにより、携帯型放送受信機が存在する地域周辺の地形条件、障害物の位置関係、あるいは、携帯型放送受信機に取り付けられているアンテナの中継局等に設置されたアンテナに対する向きが変わるが、これに起因したものをいう。
【０００７】
上記デジタル放送を受信可能な携帯型放送受信機に上記した第２の従来例によるＢＥＲ又はＣ／Ｎ値に基づく受信レベル表示を適用した場合、受信限界まではほとんど画像や音声の品質劣化が発生しないが、受信限界に近づくと急激に画像や音声の品質劣化が発生してしまう。このため、携帯型放送受信機が搭載された車両や携帯型放送受信機を所持した使用者が移動している間は、上記急峻な受信レベル変化により、受信可の表示と受信不可の表示とを短い間隔で繰り返すことになる。この結果、使用者は、受信レベルが良いのか悪いのかが判断できず、混乱してしまう。また、この場合、受信不可の表示にあわせて画像をミュートすると、画面がちらつき非常に見づらいこととなってしまう。
【０００８】
本発明は、上述した事情に鑑みてなされたものであり、上述のような課題を解決することができる携帯型放送受信機及び受信レベル表示方法を提供することを目的とする。
【課題を解決するための手段】
【０００９】
上記課題を解決するために、請求項１記載の発明に係る携帯型放送受信機は、放送信号を受信するとともに、ＡＧＣ電圧値を出力するチューナと、前記ＡＧＣ電圧値を平均化した平均値に基づいて表示部に受信レベル表示を行う制御部とを具備することを特徴としている。
【００１０】
また、請求項２記載の発明に係る携帯型放送受信機は、デジタル放送信号を受信するとともに、ＡＧＣ電圧値を出力するチューナと、前記ＡＧＣ電圧値を平均化した平均値に基づいて表示部に受信レベル表示を行うとともに、受信した前記デジタル放送信号を復調する際のエラー率に基づいて復調された映像の表示を行う制御部とを具備することを特徴としている。
【００１１】
また、請求項３記載の発明は、請求項１又は２に記載の携帯型放送受信機に係り、移動速度に応じて前記平均化に用いる前記ＡＧＣ電圧値のサンプル数、サンプリングピッチ、サンプリングタイムのいずれかを変更することを特徴としている。
【００１２】
また、請求項４記載の発明は、請求項１乃至３のいずれかに記載の携帯型放送受信機に係り、前記制御部は、前記受信レベル表示として、前記平均値が第１の基準値より小さい場合にはその旨を表す第１の表示、前記平均値が前記第１の基準値以上であって、第２の基準値より小さい場合にはその旨を表す第２の表示、前記平均値が前記第２の基準値以上である場合にはその旨を表す第３の表示をそれぞれ行うことを特徴としている。
【００１３】
また、請求項５記載の発明は、請求項２乃至４のいずれかに記載の携帯型放送受信機に係り、前記制御部は、前記エラー率が基準エラー率より小さい場合には復調された映像を前記表示部にそのまま表示し、前記エラー率が基準エラー率より大きい場合には直前に供給された映像を前記表示部に表示することを特徴としている。
【００１４】
また、請求項６記載の発明は、請求項２乃至５のいずれかに記載の携帯型放送受信機に係り、前記制御部は、前記平均値が第１の基準値より小さく、かつ、前記エラー率が基準エラー率より大きい場合には、前記受信レベル表示として復調された映像を表示できない旨の表示を行うとともに、ミュートを行うことを特徴としている。
【００１５】
また、請求項７記載の発明に係る受信レベル表示方法は、受信した放送信号に関するＡＧＣ電圧値を平均化して平均値を求め、前記平均値に基づいて、受信レベル表示を行うことを特徴としている。
【００１６】
また、請求項８記載の発明に係る受信レベル表示方法は、受信したデジタル放送信号に関するＡＧＣ電圧値を平均化して平均値を求め、前記平均値に基づいて受信レベル表示を行うとともに、受信した前記デジタル放送信号を復調する際のエラー率に基づいて復調された映像の表示を行うことを特徴としている。
【００１７】
また、請求項９記載の発明は、請求項７又は８に記載の受信レベル表示方法に係り、移動速度に応じて前記平均化に用いる前記ＡＧＣ電圧値のサンプル数、サンプリングピッチ、サンプリングタイムのいずれかを変更することを特徴としている。
【００１８】
また、請求項１０記載の発明は、請求項７乃至９のいずれかに記載の受信レベル表示方法に係り、前記受信レベル表示として、前記平均値が第１の基準値より小さい場合にはその旨を表す第１の表示、前記平均値が前記第１の基準値以上であって、第２の基準値より小さい場合にはその旨を表す第２の表示、前記平均値が前記第２の基準値以上である場合にはその旨を表す第３の表示をそれぞれ行うことを特徴としている。
【００１９】
また、請求項１１記載の発明は、請求項８乃至１０のいずれかに記載の受信レベル表示方法に係り、前記エラー率が基準エラー率より小さい場合には復調された映像をそのまま表示し、前記エラー率が基準エラー率より大きい場合には直前に供給された映像を表示することを特徴としている。
【００２０】
また、請求項１２記載の発明は、請求項８乃至１１のいずれかに記載の受信レベル表示方法に係り、前記平均値が第１の基準値より小さく、かつ、前記エラー率が基準エラー率より大きい場合には、前記受信レベル表示として復調された映像を表示できない旨の表示を行うとともに、ミュートを行うことを特徴としている。
【発明の効果】
【００２１】
本発明によれば、比較的緩やかな受信レベル変化と急峻な受信レベル変化との両方において、使用者は受信状況を正確に把握することができる。また、映像も見やすく、使い勝手が良い。
【発明を実施するための最良の形態】
【００２２】
実施の形態１．
図１は、本発明の実施の形態１に係る携帯型放送受信機の一部の構成を示すブロック図である。本実施の形態１に係る携帯型放送受信機は、アンテナ１に接続され、デジタルチューナ２と、ＭＰＥＧデコーダ３と、Ａ／Ｄコンバータ４と、制御部５と、ミュート／ホールド部６と、表示部７と、操作部８と、記憶部９とを有している。
【００２３】
本実施の形態１に係る携帯型放送受信機は、いわゆるワンセグ受信機と呼ばれるものである。地上波デジタル放送には、６ＭＨｚの帯域を１３セグメントに分割して伝送することにより高解像度の画像を据置型の放送受信機に配信するものと、上記１３セグメントの中の１セグメントだけを伝送することにより通常の解像度の画像を携帯型放送受信機に配信するもの（以下、このような地上波デジタル放送を「ワンセグ放送」と称する。）とがある。上記ワンセグ受信機は、後者のワンセグ放送を受信可能な受信機をいう。
【００２４】
デジタルチューナ２は、アンテナ１で受信された複数チャンネルのワンセグ放送信号の中から、使用者が操作部８を操作することにより選局したチャンネルのワンセグ放送信号について、トランスポートストリーム信号ＴＳへのデジタル復調や誤り訂正、暗号化されたデータの復号化（適宜）、多重化されている番組や付加情報データ等の分離等を行う。また、デジタルチューナ２は、アナログのＡＧＣ電圧値ＶＡＧＣをＡ／Ｄコンバータ４に供給する。
【００２５】
ＭＰＥＧデコーダ３は、上記トランスポートストリーム信号ＴＳに時分割多重されている映像データの分離、エレメンタリパケットへの変換、映像データのＭＰＥＧデータＤＶ１へのデコード等を行う。また、ＭＰＥＧデコーダ３は、映像データからＭＰＥＧデータＤＶ１をデコードする際に、正しくデコードできたデータと正しくデコードできなかったデータとの比であるデコードエラー率ＤＥＲを制御部５に供給する。Ａ／Ｄコンバータ４は、デジタルチューナ２から供給されるアナログのＡＧＣ電圧値ＶＡＧＣをデジタルのＡＧＣ電圧値ＤＡＧＣへ変換する。
【００２６】
制御部５は、中央処理装置（ＣＰＵ）、デジタルシグナルプロセッサ（ＤＳＰ）、シーケンサ等を有し、記憶部９に記憶された各種プログラムを実行することなどにより、この携帯型放送受信機の各部を制御する。また、制御部５は、平均化部１１及びレベル比較部１２を備えている。平均化部１１は、Ａ／Ｄコンバータ４から供給されるデジタルのＡＧＣ電圧値ＤＶＡＧＣを平均化して平均値ＡＶＧを出力する。制御部５は、平均化部１１から供給される平均値ＡＶＧに基づいて、受信レベル表示データＲＬを生成する。なお、この受信レベル表示の手法については後述する。
【００２７】
レベル比較部１２は、ＭＰＥＧデコーダ３から供給されるデコードエラー率ＤＥＲを予め設定した基準エラー率ＳＲと比較し、その比較結果ＣＲを出力する。制御部５は、レベル比較部１２から供給される比較結果ＣＲに基づいて、ミュート／ホールド部６に対して、映像表示の仕方に関する制御信号ＣＴＬを供給する。
【００２８】
ミュート／ホールド部６は、例えば、フレームメモリを有し、制御部５から供給される制御信号ＣＴＬに基づいて、ＭＰＥＧデコーダ３から供給されたＭＰＥＧデータＤＶ１をそのままＭＰＥＧデータＤＶ２として出力したり（通常表示）、上記制御信号ＣＴＬが供給される直前で良好な画質のＭＰＥＧデータＤＶ１をＭＰＥＧデータＤＶ２として出力したり（ホールド）、あるいは、ＭＰＥＧデコーダ３から供給されたＭＰＥＧデータＤＶ１を出力しなかったり（ミュート）する。なお、ミュートの場合には、ミュート／ホールド部６は、一定の表示（例えば、ブルースクリーン及びミュート中である旨の文字表示）等に関するＭＰＥＧデータをＭＰＥＧデータＤＶ２として出力しても良い。
【００２９】
表示部７は、例えば、液晶ディスプレイ（ＬＣＤ；Liquid Crystal Display）、エレクトロルミネセンス（ＥＬ：electroluminescence）ディスプレイ、あるいはプラズマディスプレイパネル（ＰＤＰ；Plasma Display Panel）等のディスプレイを有している。表示部７を構成するディスプレイには、ミュート／ホールド部６から供給されるＭＰＥＧデータＤＶ２又は、制御部５から供給される受信レベル表示データＲＬが重畳された上記ＭＰＥＧデータＤＶ２に対応した映像が表示される。
【００３０】
操作部８は、テンキーや、カーソルキー、電源キー、モードキー、メニューキー等の各種キーからなる。記憶部９は、ＲＡＭやＲＯＭ、あるいはフラッシュメモリ等の半導体メモリからなり、制御部５が実行する各種プログラムや、使用者が操作部８を操作することにより入力したデータ等が記憶される。また、記憶部９は、制御部５が各種プログラムを実行する際に作業用として使用される。さらに、記憶部９には、図２に示す映像表示テーブルが予め記憶されている。この映像表示テーブルの詳細については、後述する。なお、記憶部９に記憶される各種プログラムや一部のデータについては、制御部５を構成するＣＰＵ等の内部に設けられたメモリに記憶されると構成しても良い。
【００３１】
なお、携帯型放送受信機には、上記した映像に関連した各構成要素の他、音声に関連した様々な構成要素が設けられているが、それらの各構成要素は、本発明には直接関係しないので、その説明を省略する。
【００３２】
次に、上記平均値ＡＶＧに基づいて受信レベル表示をする手法について図３を参照して説明する。本実施の形態１では、予め、上記平均値ＡＶＧと比較すべき第１の基準値ＳＶ１及び第２の基準値ＳＶ２を設定する。デジタルチューナ２から出力されるアナログのＡＧＣ電圧値ＶＡＧＣ及びＡ／Ｄコンバータ４から出力されるデジタルのＡＧＣ電圧値ＤＡＧＣは、アンテナ１を含む携帯型放送受信機が存在する地域における受信強度に応じて、図１に示すデジタルチューナ２に内蔵された、ワンセグ放送信号を復調するために必要なアンプの増幅度を示している。従って、第１の基準値ＳＶ１及び第２の基準値ＳＶ２の具体的な値は、基本的には、上記デジタルチューナ２の能力に依存するが、経験的、実験的に設定すれば良く、例えば、最大受信強度と受信信号がない状態における受信強度との間を３等分するなどして設定する。
【００３３】
また、受信レベル表示データＲＬについて、次のように予め設定する。即ち、上記平均値ＡＶＧが、上記第１の基準値ＳＶ１より小さい場合には、原則として、受信レベルが「小」であるとしてその旨を表す表示（例えば、図２に示す最も幅が狭い１つのバー表示（以下、「１本バー」と称する。））とする。しかし、上記平均値ＡＶＧが、上記第１の基準値ＳＶ１より小さく、かつ、デコードエラー率ＤＥＲが大きい場合には、「不可」の文字を表示する。
【００３４】
また、上記平均値ＡＶＧが、上記第１の基準値ＳＶ１以上であって、上記第２の基準値ＳＶ２より小さい場合には受信レベルが「中」であるとしてその旨を表す表示（例えば、図２に示す最も幅が狭いバー表示の上に中間の幅のバーを重ねた表示（以下、「２本バー」と称する。））とする。さらに、上記平均値ＡＶＧが、上記第２の基準値ＳＶ２以上である場合には受信レベルが「大」であるとしてその旨を表す表示（例えば、図２に示す最も幅が狭いバー表示の上に、中間の幅のバー及び最も幅が広いバーを順次重ねた表示（以下、「３本バー」と称する。））とする。
【００３５】
以上説明した、第１の基準値ＳＶ１、第２の基準値ＳＶ２、４種類の受信レベル表示データＲＬ及び後述する映像表示の仕方について図２に示す映像表示テーブルを作製し、予め記憶部９に記憶しておく。
【００３６】
図３は、携帯型放送受信機の移動に伴うＡＧＣ電圧値ＶＡＧＣの変化の一例を示す図である。図３において、実線からなる曲線ａは実際のＡＧＣ電圧値ＶＡＧＣの変化を表す曲線、破線からなる曲線ｂは実際のＡＧＣ電圧値ＶＡＧＣをアナログのままで平均化して得られた平均値ＡＶＧＡの変化を表す曲線である。期間Ｔ１では、実際のＡＧＣ電圧値ＶＡＧＣは、全体としてはデジタルの第２の基準値ＳＶ２に対応したアナログの第２の基準値ＳＶ２Ａ以上であるため、受信レベルがほとんど「大」であるが、携帯型放送受信機が例えばビルの陰などに入ると、ｘで示すように、短時間で急激に低下してしまう。しかし、上記平均値ＡＶＧＡの場合は、上記急激な低下が吸収され、受信レベルが常に「大」となる。
【００３７】
次に、期間Ｔ２では、実際のＡＧＣ電圧値ＶＡＧＣは、全体としてデジタルの第１の基準値ＳＶ１に対応したアナログの第１の基準値ＳＶ１Ａ以上であって、上記第２の基準値ＳＶ２Ａより小さいため、受信レベルは常に「中」である。また、この期間Ｔ２では、実際のＡＧＣ電圧値ＶＡＧＣに上記期間Ｔ１のような急激な低下もないため、上記平均値ＡＶＧＡも、実際のＡＧＣ電圧値ＶＡＧＣと同様に、全体として上記第１の基準値ＳＶ１Ａ以上であって、上記第２の基準値ＳＶ２Ａより小さいため、受信レベルは常に「中」である。
【００３８】
次に、期間Ｔ３では、実際のＡＧＣ電圧値ＶＡＧＣは、全体として上記第１の基準値ＳＶ１Ａより小さいため、受信レベルは常に「小」である。また、この期間Ｔ３では、実際のＡＧＣ電圧値ＶＡＧＣに上記期間Ｔ１のような急激な低下もないため、上記平均値ＡＶＧＡも、実際のＡＧＣ電圧値ＶＡＧＣと同様に、全体として上記第１の基準値ＳＶ１Ａより小さいため、受信レベルは常に「小」である。
【００３９】
これに対し、期間Ｔ４では、実際のＡＧＣ電圧値ＶＡＧＣは、全体としては上記第１の基準値ＳＶ１Ａ以上であって、上記第２の基準値ＳＶ２Ａより小さいため、受信レベルがほとんど「中」であるが、携帯型放送受信機が例えば再びビルの陰などに入ると、ｙで示すように、短時間で急激に低下してしまう。しかし、上記平均値ＡＶＧＡの場合は、上記急激な低下が吸収され、受信レベルが常に「中」となる。
【００４０】
最後に、期間Ｔ５では、実際のＡＧＣ電圧値ＶＡＧＣは、全体として上記第２の基準値ＳＶ２Ａ以上であるため、受信レベルは常に「大」である。また、この期間Ｔ５では、実際のＡＧＣ電圧値ＶＡＧＣに上記期間Ｔ１及びＴ４のような急激な低下もないため、上記平均値ＡＶＧＡも、実際のＡＧＣ電圧値ＶＡＧＣと同様に、全体として上記第２の基準値ＳＶ２Ａ以上であるため、受信レベルは常に「大」である。
【００４１】
このように、本実施の形態１によれば、携帯型放送受信機において、断続的に変化する実際のＡＧＣ電圧値ＶＡＧＣをそのまま用いて受信レベルを表示するのではなく、平均化して受信レベルを使用者に分かりやすく表示することにより、使用者に映像の乱れを極力感じさせずに画像表示を行うことができる。
【００４２】
次に、映像表示の仕方について、図４を参照して説明する。図４は、携帯型放送受信機の移動に伴うデコードエラー率ＤＥＲの変化の一例を示す図である。図３と図４とを比較して分かるように、実際のＡＧＣ電圧値ＶＡＧＣの変化と、デコードエラー率ＤＥＲの変化とは、必ずしも強い相関関係を有さず、デコードエラー率ＤＥＲは、実際のＡＧＣ電圧値ＶＡＧＣが著しく低下した場合に急激に劣化している。これは、上記デジタル放送信号を復号化して得られたＭＰＥＧデータに誤り訂正やインターリーブ等の種々の画像処理が施されているからである。
【００４３】
そこで、画質の観点から、受信レベル表示とは別個独立して、映像及び音声が再生可能な最低限のエラー率を意味する基準エラー率ＳＲに基づいて、デコードエラー率ＤＥＲが図４においてこの基準エラー率ＳＲ以上である場合（エラーが少ない場合：「小」）には、ＭＰＥＧデコーダ３から供給されたＭＰＥＧデータＤＶ１をそのままＭＰＥＧデータＤＶ２としてディスプレイに表示する（通常表示）。一方、デコードエラー率ＤＥＲが図４において基準エラー率ＳＲより小さい場合（エラーが多い場合：「大」）には、原則として、ＭＰＥＧデコーダ３から今供給されたＭＰＥＧデータＤＶ１に換えて、その直前に供給され、良好な画質のＭＰＥＧデータＤＶ１をＭＰＥＧデータＤＶ２としてディスプレイに表示する（ホールド）。しかし、デコードエラー率ＤＥＲが図４において基準エラー率ＳＲより小さい場合（エラーが多い場合：「大」）であって、かつ、上記平均値ＡＶＧが、上記第１の基準値ＳＶ１より小さい場合には、ＭＰＥＧデコーダ３から供給されたＭＰＥＧデータＤＶ１をＭＰＥＧデータＤＶ２として出力しない（ミュート）。
【００４４】
以上説明した、基準エラー率ＳＲ及び映像表示の仕方について、上記した、第１の基準値ＳＶ１、第２の基準値ＳＶ２、４種類の受信レベル表示データＲＬとともに、図２に示す映像表示テーブルを作製し、予め記憶部９に記憶しておく。
【００４５】
次に、上記構成の携帯型放送受信機の各構成要素におけるタイミングを考慮した動作について、図５を参照して説明する。図５において、（１）は携帯型放送受信機の移動に伴ってデジタルチューナ２から出力されるＡＧＣ電圧値ＶＡＧＣの変化の一例を示す曲線、（２）は上記携帯型放送受信機の移動に伴ってＭＰＥＧデコーダ３から出力されるデコードエラー率ＤＥＲの変化の一例を示す曲線である。
【００４６】
また、図５（３）は表示部７を構成するディスプレイに表示される画面表示の一例を示しており、マーク及び文字の意味は図２を参照して説明したものと同様である。また、同図（４）はＭＰＥＧデコーダ３から出力されるＭＰＥＧデータＤＶ１の一例を模式的に示しており、矩形状を呈する領域は画面の乱れのないＭＰＥＧデータＤＶ１であることを示し、斜線を施した領域は画面の乱れたＭＰＥＧデータＤＶ１であることを示している。さらに、同図（５）はデジタルチューナ２から出力されるトランスポートストリーム信号ＴＳの一例を模式的に示しており、矩形状を呈する領域はエラーの少ないトランスポートストリーム信号ＴＳであることを示し、斜線を施した領域はエラーの多いトランスポートストリーム信号ＴＳであることを示している。
【００４７】
なお、図５（１）、（２）及び（４）におけるＤＤは、ＭＰＥＧデコーダ３にデジタルチューナ２からトランスポートストリーム信号ＴＳが供給された時から、当該トランスポートストリーム信号ＴＳからＭＰＥＧデコーダ３がＭＰＥＧデータＤＶ１をデコードするまでにかかる時間（以下、「デコードディレイ時間」と称する。）を意味している。
【００４８】
このデコードディレイ時間ＤＤは、ＭＰＥＧデコーダ３において、以下に示す処理が行われる時間を表している。まず、デジタルチューナ２から供給されたトランスポートストリーム信号ＴＳは、一旦入力バッファに記憶される。次に、入力バッファからこのトランスポートストリーム信号ＴＳが読み出され、これに時分割多重されている映像データが分離され、この映像データがＭＰＥＧデータＤＶ１へデコード処理された後、出力バッファに一旦記憶される。そして、出力バッファからこのＭＰＥＧデータＤＶ１が読み出され、出力される。
【００４９】
図５（５）に示すように、時刻ｔ０から時刻ｔ２までの間（期間Ｔ２１）では、デジタルチューナ２からＭＰＥＧデコーダ３に供給された上記トランスポートストリーム信号ＴＳは、エラーが少ないが、時刻ｔ２から時刻ｔ６までの間（期間Ｔ２２）では、上記トランスポートストリーム信号ＴＳには、エラーが多く混在している。このため、図５（２）に示すように、上記期間Ｔ２１では、デコードエラー率ＤＥＲが図５（２）において基準エラー率ＳＲ以上である（エラーが少ない場合：「小」）が、上記期間Ｔ２２では、デコードエラー率ＤＥＲが図５（２）において基準エラー率ＳＲより小さい（エラーが多い場合：「大」）。
【００５０】
従って、時刻ｔ０からデコードディレイ時間ＤＤだけ経過した時刻ｔ１から、時刻ｔ２からデコードディレイ時間ＤＤだけ経過した時刻ｔ３までの間（期間Ｔ３１）では、図５（４）に示すように、ＭＰＥＧデコーダ３から出力されたＭＰＥＧデータＤＶ１は、画面の乱れのないものである。これにより、上記期間Ｔ３１では、図５（３）に示すように、表示部７を構成するディスプレイには、ＭＰＥＧデコーダ３から供給されたＭＰＥＧデータＤＶ１がそのままＭＰＥＧデータＤＶ２として表示される（通常表示）。
【００５１】
また、時刻ｔ２からデコードディレイ時間ＤＤだけ経過した時刻ｔ３から、時刻ｔ６からデコードディレイ時間ＤＤだけ経過した時刻ｔ７までの間（期間Ｔ３２）では、図５（４）に示すように、ＭＰＥＧデコーダ３から出力されたＭＰＥＧデータＤＶ１は、画面の乱れがあるものである。これにより、上記期間Ｔ３２では、図５（３）に示すように、表示部７を構成するディスプレイには、ＭＰＥＧデコーダ３から今供給されたＭＰＥＧデータＤＶ１に換えて、その直前に供給され、良好な画質のＭＰＥＧデータＤＶ１をＭＰＥＧデータＤＶとして表示される（ホールド）。
【００５２】
一方、図５（１）に示すように、時刻ｔ０から時刻ｔ４までの間（期間Ｔ１１）では、ＡＧＣ電圧値ＶＡＧＣが第２の基準値ＳＶ２Ａ以上であり、また短時間での急激な低下もないので、制御部５を構成する平均化部１１で平均化された平均値ＡＶＧも、第２の基準値ＳＶ２以上である。従って、時刻ｔ０からデコードディレイ時間ＤＤだけ経過した時刻ｔ１から、時刻ｔ４からデコードディレイ時間ＤＤだけ経過した時刻ｔ５までの間では、図５（３）に示すように、表示部７を構成するディスプレイには、３本バーが表示される。
【００５３】
次に、図５（５）に示すように、時刻ｔ６から時刻ｔ１０までの間（期間Ｔ２３）では、デジタルチューナ２からＭＰＥＧデコーダ３に供給された上記トランスポートストリーム信号ＴＳは、エラーが少ない。このため、図５（２）に示すように、上記期間Ｔ２３では、デコードエラー率ＤＥＲが図５（２）において基準エラー率ＳＲ以上である（エラーが少ない場合：「小」）。
【００５４】
従って、時刻ｔ６からデコードディレイ時間ＤＤだけ経過した時刻ｔ７から、時刻ｔ１０からデコードディレイ時間ＤＤだけ経過した時刻ｔ１１までの間（期間Ｔ３３）では、図５（４）に示すように、ＭＰＥＧデコーダ３から出力されたＭＰＥＧデータＤＶ１は、画面の乱れがないものである。これにより、上記期間Ｔ３３では、図５（３）に示すように、表示部７を構成するディスプレイには、ＭＰＥＧデコーダ３から供給されたＭＰＥＧデータＤＶ１がそのままＭＰＥＧデータＤＶ２として表示される（通常表示）。
【００５５】
一方、図５（１）に示すように、時刻ｔ４から時刻ｔ８までの間（期間Ｔ１２）では、ＡＧＣ電圧値ＶＡＧＣが第１の基準値ＳＶ１Ａ以上であって、かつ、第２の基準値ＳＶ２Ａより小さく、また短時間での急激な低下もないので、制御部５を構成する平均化部１１で平均化された平均値ＡＶＧも、第１の基準値ＳＶ１以上であって、かつ、第２の基準値ＳＶ２より小さい。
【００５６】
従って、時刻ｔ４からデコードディレイ時間ＤＤだけ経過した時刻ｔ５から、時刻ｔ８からデコードディレイ時間ＤＤだけ経過した時刻ｔ９までの間では、図５（３）に示すように、表示部７を構成するディスプレイには、２本バーが表示される。
【００５７】
次に、図５（５）に示すように、時刻ｔ１０以降（期間Ｔ２４）では、上記トランスポートストリーム信号ＴＳは、エラーが多く混在している。このため、図５（２）に示すように、上記期間Ｔ２４では、デコードエラー率ＤＥＲが図５（２）において基準エラー率ＳＲより小さい（エラーが多い場合：「大」）。従って、時刻ｔ１１からデコードディレイ時間ＤＤだけ経過した時刻ｔ１２以降（期間Ｔ３４）では、図５（４）に示すように、ＭＰＥＧデコーダ３から出力されたＭＰＥＧデータＤＶ１は、画面の乱れがあるものである。
【００５８】
一方、図５（１）に示すように、時刻ｔ８以降（期間Ｔ１３）では、ＡＧＣ電圧値ＶＡＧＣが第１の基準値ＳＶ１Ａより小さく、また短時間での急激な低下もないので、制御部５を構成する平均化部１１で平均化された平均値ＡＶＧも、第１の基準値ＳＶ１より小さい。
【００５９】
これにより、上記期間Ｔ３４では、図５（３）に示すように、表示部７を構成するディスプレイには、何も表示されない、あるいは、一定の表示（例えば、ブルースクリーン及びミュート中である旨の文字表示）がされる（ミュート）とともに、「不可」の文字が表示される。
【００６０】
このように、本発明の実施の形態１によれば、全体としては比較的緩やかなＡＧＣ電圧値ＤＡＧＣの変化に着目して、ＡＧＣ電圧値ＤＡＧＣを平均化部１１において平均化し、この平均値ＡＶＧに基づいて受信レベル表示を行っている。従って、本発明の実施の形態１に係る携帯型放送受信機が搭載された車両や携帯型放送受信機を所持した使用者が移動することにより変更される、携帯型放送受信機が存在する地域周辺の地形条件、障害物の位置関係、あるいは、携帯型放送受信機に取り付けられているアンテナの中継局等に設置されたアンテナに対する向き等による影響を回避することができる。これにより、急峻な受信レベル変化があっても、受信レベル表示が急峻な変化をしないため、使用者は、移動状態での受信状況を正確に把握できるとともに、混乱することはない。
【００６１】
また、本発明の実施の形態１によれば、上記したＡＧＣ電圧値ＤＡＧＣの平均値ＡＶＧに基づく受信レベル表示の他、これとは別個独立して、デコードエラー率ＤＥＲに基づく映像表示を行っている。即ち、図２に示すように、上記平均値ＡＶＧが「大」又は「中」であっても、デコードエラー率ＤＥＲが「大」の場合には、映像を「ホールド」している。さらに、上記平均値ＡＶＧが「小」であって、かつ、デコードエラー率ＤＥＲが「大」の場合にだけ、映像を「ミュート」している。つまり、デジタル放送を受信可能な本発明の実施の形態１に係る携帯型放送受信機では、受信レベル表示が良好であっても、実際には、画像が乱れたり、音声が途切れたりして正常に受信できない場合には、「ホールド」される。
【００６２】
この結果、デジタル復調されたトランスポートストリーム信号ＴＳが使用されずに処分されることを防止することができ、映像の劣化（映像の不連続性）を最低限に抑えることができる。従って、映像がちらついて見づらい状態にはならず、使用者は、混乱することはない。
【００６３】
以上説明したように、本発明の実施の形態１によれば、平均値ＡＶＧに基づく受信レベル表示と、デコードエラー率ＤＥＲに基づく映像表示の両方を用いているため、比較的緩やかな受信レベル変化と急峻な受信レベル変化との両方において使用者は受信状況を正確に把握することができるとともに、映像も見やすく、使い勝手が良い。
【００６４】
実施の形態２．
上述の実施の形態１では、ＭＰＥＧデコーダ３から出力されるデコードエラー率ＤＥＲに基づいて映像表示を切り換える例を示したが、これに限定されない。例えば、ワンセグ放送信号からトランスポートストリーム信号ＴＳへデジタル復調する際のエラー率を映像表示の切り換えに用いても良い。また、上記第２の従来例のように、受信した時点のトランスポートストリーム信号ＴＳの状況を表すＢＥＲ又は、コンスタレーションの分散などから算出される放送信号のＣ／Ｎ値を映像表示の切り換えに用いても良い。
【００６５】
いずれの場合にも、デジタル放送では、受信エラーの発生タイミングと映像を表示するタイミングにずれが発生するため、上述した実施の形態１において図５を参照して説明したように、上記タイミングのずれを考慮して処理する必要がある。上記デコードエラー率ＤＥＲ、上記ワンセグ放送信号からトランスポートストリーム信号ＴＳへデジタル復調する際のエラー率、上記ＢＥＲ及び上記放送信号のＣ／Ｎ値を、「エラー率」と総称することができる。本発明の実施の形態２によれば、上述した実施の形態１と同様な効果を得ることができる。
【００６６】
実施の形態３．
上述の各実施の形態では、携帯型放送受信機が搭載された車両や携帯型放送受信機を所持した使用者が移動する速度については特に考慮していない。しかし、上記車両や上記使用者の移動速度によってＡＧＣ電圧値ＶＡＧＣや「エラー率」の変化の度合いも異なってくる。そこで、上記車両や上記使用者の移動速度に基づいて、ＡＧＣ電圧値ＶＡＧＣを平均化する手法を異ならせるように構成しても良い。
【００６７】
次に、平均化部１１における平均化の手法について、図６〜図９を参照して説明する。
（１）携帯型放送受信機が車両に搭載された場合
上記ＡＧＣ電圧値ＶＡＧＣは、車両が建物や木の陰等に入ると急激に悪くなり、車両が建物や木の陰等から抜けると回復する。自動車等の車両は、例えば、時速５０ｋｍ程度で走行しており、建物や木の陰に入っても直ちに抜けることが多い。このため、上記ＡＧＣ電圧値ＶＡＧＣの急激な変化に応じて受信レベル表示を頻繁に変更した場合、使用者にとって非常に見づらい表示となってしまう。このため、上記ＡＧＣ電圧値ＶＡＧＣの平均値を算出し、その算出値に基づいて受信レベル表示を行う。
【００６８】
図６及び図７は、上記ＡＧＣ電圧値ＶＡＧＣの時刻に応じた変化の一例を示す図である。図６及び図７において、各曲線ａはそれぞれ実際のＡＧＣ電圧値ＶＡＧＣに基づくものであり、各曲線ｂはそれぞれ実際のＡＧＣ電圧値ＶＡＧＣについて式（１）により平均化したものである。式（１）では、現時点ｔの実際のＡＧＣ電圧値ＶＡＧＣを含めた過去５回分の実際のＡＧＣ電圧値ＶＡＧＣを平均化している。
【００６９】
ＶＡＧＣ１（ｔ）＝｛ＡＧＣ（ｔ−４）＋ＡＧＣ（ｔ−３）＋ＡＧＣ（ｔ−２）＋ＡＧＣ（ｔ−１）＋ＡＧＣ（ｔ）｝／５  ・・・（１）
式（１）において、ＶＡＧＣ１（ｔ）は現時点ｔにおける平均化後のＡＧＣ電圧値ＶＡＧＣを表している。一方、ＶＡＧＣ（ｔ）は現時点ｔにおける実際のＡＧＣ電圧値ＶＡＧＣを表している。また、ＶＡＧＣ（ｔ−ｋ）（ｋ＝１，２，３，４）は現時点ｔより時刻ｋだけ過去の時点（ｔ−ｋ）における実際のＡＧＣ電圧値ＶＡＧＣを表している。
図６及び図７から分かるように、車両が建物や木の陰等に入ることに起因した上記ＡＧＣ電圧値ＶＡＧＣの急激な変化は、上記平均化の手法を採用することにより吸収される。これにより、受信レベル表示が頻繁に変更されなくなるため、使用者にとって見やすい表示となる。
【００７０】
（２）携帯型放送受信機を歩行中の使用者が所持している場合
この場合も、上記ＡＧＣ電圧値ＶＡＧＣは、使用者が建物や木の陰等に入ると急激に悪くなり、使用者が建物や木の陰等から抜けると回復する。しかし、使用者は、例えば、時速５ｋｍ程度の低速度で歩行しており、建物や木の陰に入っても直ちに抜けることができないため、受信レベルが良好でない状態が継続してしまい、最終的に、映像が見られなくなってしまう場合がある。このため、本実施の形態３では、上記ＡＧＣ電圧値ＶＡＧＣの急激な変化から次の上記ＡＧＣ電圧値ＶＡＧＣの変化を予測し、その予測結果に基づいて受信レベル表示を行う。
【００７１】
図８及び図９は、上記ＡＧＣ電圧値ＶＡＧＣの時刻に応じた変化の一例を示す図である。図８及び図９において、各曲線ａはそれぞれ実際のＡＧＣ電圧値ＶＡＧＣに基づくものであり、各曲線ｂはそれぞれ実際のＡＧＣ電圧値ＶＡＧＣの変化から次のＡＧＣ電圧値ＶＡＧＣの変化を式（２）により予測したものである。式（２）では、現時点ｔの実際のＡＧＣ電圧値ＶＡＧＣを含めた過去２回分の実際のＡＧＣ電圧値ＶＡＧＣの変化と、現時点ｔの実際のＡＧＣ電圧値ＶＡＧＣとを平均化したものである。
ＶＡＧＣ２（ｔ）＝｛ＶＡＧＣ（ｔ−１）−ＶＡＧＣ（ｔ−２）＋ＶＡＧＣ（ｔ−１）＋ＶＡＧＣ（ｔ）｝／２  ・・・（２）
式（２）において、ＶＡＧＣ２（ｔ）は現時点ｔにおける予測後のＡＧＣ電圧値ＶＡＧＣを表している。一方、ＶＡＧＣ（ｔ）は現時点ｔにおける実際のＡＧＣ電圧値ＶＡＧＣを表している。また、ＶＡＧＣ（ｔ−ｋ）（ｋ＝１，２）は現時点ｔより時刻ｋだけ過去の時点（ｔ−ｋ）における実際のＡＧＣ電圧値ＶＡＧＣを表している。
このように、上記ＡＧＣ電圧値ＶＡＧＣの変化を予測し、その予測結果に基づいて受信レベル表示を行うため、使用者は、今後の受信レベルの変化の傾向をいち早く知ることができ、それに対して迅速に対処することができる。
【００７２】
また、上記車両や上記使用者の移動速度に応じて、ＡＧＣ電圧値ＤＡＧＣを平均化する手法を異ならせる手法としては、上記の他、例えば、データをサンプリングするピッチ（サンプリングピッチ）や期間（サンプリングタイム）あるいはデータ数（サンプリング数）、サンプリングしたデータの取捨選択を移動速度に応じて異ならせることが考えられる。本発明の実施の形態３によれば、上記車両や上記使用者の移動速度にかかわらず、良好な受信レベル表示を行うことができる。
【００７３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、受信レベルをディスプレイに表示する例を示したが、これに限定されず、表示だけでなく、音声を用いて受信レベルを報知する手法を組み合わせても良い。
また、上述の各実施の形態では、携帯型放送受信機は、ワンセグ放送が受信可能である例を示したが、これに限定されず、アナログ放送も受信可能に構成しても良い。
また、上述の各実施の形態は、その目的及び構成等に特に矛盾や問題がない限り、互いの技術を流用することができる。
【図面の簡単な説明】
【００７４】
【図１】本発明の実施の形態１に係る携帯型放送受信機の一部の構成を示すブロック図である。
【図２】映像表示テーブルの構成の一例を示す図である。
【図３】携帯型放送受信機の移動に伴うＡＧＣ電圧値ＶＡＧＣの変化の一例を示す図である。
【図４】携帯型放送受信機の移動に伴うデコードエラー率ＤＥＲの変化の一例を示す図である。
【図５】本発明の実施の形態１に係る携帯型放送受信機の各構成要素におけるタイミングを考慮した動作を説明するためのタイミングチャートである。
【図６】本発明の実施の形態３に係る携帯型放送受信機を構成する制御部の平均化部における平均化の手法を説明するための図である。
【図７】本発明の実施の形態３に係る携帯型放送受信機を構成する制御部の平均化部における平均化の手法を説明するための図である。
【図８】本発明の実施の形態３に係る携帯型放送受信機を構成する制御部の平均化部における平均化の手法を説明するための図である。
【図９】本発明の実施の形態３に係る携帯型放送受信機を構成する制御部の平均化部における平均化の手法を説明するための図である。
【符号の説明】
【００７５】
１  アンテナ
２  デジタルチューナ
３  ＭＰＥＧデコーダ
４  Ａ／Ｄコンバータ
５  制御部
６  ミュート／ホールド部
７  表示部
８  操作部
９  記憶部
１１  平均化部
１２  レベル比較部
【図１】
2008109208.tif 000003
【図２】
2008109208.tif 000004
【図３】
2008109208.tif 000005
【図４】
2008109208.tif 000006
【図５】
2008109208.tif 000007
【図６】
2008109208.tif 000008
【図７】
2008109208.tif 000009
【図８】
2008109208.tif 000010
【図９】
2008109208.tif 000011